(57)【要約】【課題】  多目的ディスプレイを備えたデジタルミキサにおいて、該ディスプレイにてパラメータ値の調整対象となる画面設定チャンネルを、必要に応じて選択チャンネルから独立させることにより、効率的なパラメータ調整を実現する。【解決手段】  タッチパネルに表示される詳細設定ウィンドウ２００には、ＳＥＬ＿ＬＩＮＫボタン２６０が設けられ、該ボタン２６０が押下される毎に連動モードのオン／オフ状態がトグルで切り替えられる。連動モードがオン状態になると、ウィンドウ２００にパラメータが表示されるチャンネル（画面設定チャンネル）が、選択チャンネルの変更に連動して変更され、連動モードがオフ状態になると、選択チャンネルの変更に関わらず、従前の画面設定チャンネルが保持される。【選択図】  図６
2011109554.tif 000002
【特許請求の範囲】
【請求項１】
複数の入力チャンネルの音声信号に対して各々複数の信号処理機能による信号処理を行うとともに、信号処理された音声信号をミキシングする信号処理部に対して、前記信号処理機能を行うためのパラメータを指示するミキシングコンソールにおいて、
各々が前記複数の信号処理機能のうち一の機能に対応し当該信号処理機能に係るパラメータを設定および表示するための複数の詳細設定画面のうち何れかを必要に応じて表示する画像表示手段と、
各々が前記入力チャンネルの何れかに割り当てられ、割り当てられた入力チャンネルの信号レベルを調整するフェーダと当該入力チャンネルを選択チャンネルとして選択するための選択チャンネル指定操作子とを各々が有する複数のチャンネルストリップと、
該選択チャンネルにおける前記複数の信号処理機能の各々に対して、前記詳細設定画面が表示されているか否かにかかわらず、一部のパラメータを表示するとともに、これら表示されたパラメータを設定可能に構成された選択チャンネル部と、
表示対象の入力チャンネルである画面設定チャンネルと、表示すべき何れかの信号処理機能である詳細設定機能とを特定して前記画面設定チャンネルにおける、前記詳細設定機能に係る詳細設定画面を前記画像表示手段に表示させる表示制御手段と、
ユーザ操作に基づいて、前記選択チャンネルと前記画面設定チャンネルとの連動オン状態または連動オフ状態を指定する連動状態指定手段と、
前記連動状態指定手段によって前記連動オン状態が指定されると、前記画面設定チャンネルを前記選択チャンネル指定操作子によって指定された選択チャンネルに一致させる一方、連動オフ状態が指定されると、前記選択チャンネル指定操作子の操作に関わらず従前の画面設定チャンネルを維持する詳細設定画面制御手段と、
指定された前記選択チャンネルに合わせて前記選択チャンネル部の状態を変更する選択チャンネル部制御手段と、
ユーザによる前記選択チャンネル部の操作に応じて選択チャンネルに係るパラメータを変更するパラメータ変更手段と
を有することを特徴とするミキシングコンソール。
【請求項２】
複数の入力チャンネルの音声信号に対して各々複数の信号処理機能による信号処理を行うとともに、信号処理された音声信号をミキシングする信号処理部に対して、前記信号処理機能を行うためのパラメータを指示するミキシングコンソールに適用されるプログラムであって、
前記ミキシングコンソールは、
各々が前記複数の信号処理機能のうち一の機能に対応し当該信号処理機能に係るパラメータを設定および表示するための複数の詳細設定画面のうち何れかを必要に応じて表示する画像表示手段と、
各々が前記入力チャンネルの何れかに割り当てられ、割り当てられた入力チャンネルの信号レベルを調整するフェーダと当該入力チャンネルを選択チャンネルとして選択するための選択チャンネル指定操作子とを各々が有する複数のチャンネルストリップと、
該選択チャンネルにおける前記複数の信号処理機能の各々に対して、前記詳細設定画面が表示されているか否かにかかわらず、一部のパラメータを表示するとともに、これら表示されたパラメータを設定可能に構成された選択チャンネル部と、
処理装置と
を有するものであり、
表示対象の入力チャンネルである画面設定チャンネルと、表示すべき何れかの信号処理機能である詳細設定機能とを特定して前記画面設定チャンネルにおける、前記詳細設定機能に係る詳細設定画面を前記画像表示手段に表示させる表示制御過程と、
ユーザ操作に基づいて、前記選択チャンネルと前記画面設定チャンネルとの連動オン状態または連動オフ状態を指定する連動状態指定過程と、
前記連動状態指定過程によって前記連動オン状態が指定されると、前記画面設定チャンネルを前記選択チャンネル指定操作子によって指定された選択チャンネルに一致させる一方、連動オフ状態が指定されると、前記選択チャンネル指定操作子の操作に関わらず従前の画面設定チャンネルを維持する詳細設定画面制御過程と、
指定された前記選択チャンネルに合わせて前記選択チャンネル部の状態を変更する選択チャンネル部制御過程と、
ユーザによる前記選択チャンネル部の操作に応じて選択チャンネルに係るパラメータを変更するパラメータ変更過程と
を前記処理装置に実行させることを特徴とするプログラム。
【発明の詳細な説明】
【技術分野】
【０００１】
本発明は、コンサートホールまたはレコーディングスタジオ等における音声信号のミキシングに用いて好適なミキシングコンソールおよびプログラムに関する。
【背景技術】
【０００２】
特許文献１等に開示されたデジタルミキサにおいては、複数の入出力チャンネルの音声信号を各種のフィルタ等によって処理する入出力チャンネル部が設けられている。さらに、かかるデジタルミキサにおいては、任意の入出力チャンネルに介挿可能なエフェクタやグラフィックイコライザ等も設けられている。ここで、入出力チャンネル部、あるいはエフェクタ等の様々なパラメータを設定するために、これら多数のパラメータを設定するための操作子やディスプレイを全て操作パネル上に配置すると、操作パネルの面積が膨大になるため非現実的である。
【０００３】
このため、各種パラメータを調節するための一組の操作子および表示器等から成る「選択チャンネル部」を設け、ユーザが選択した任意のチャンネル（選択チャンネルという）を選択チャンネル部に割り当てることによって、様々なパラメータの調節を行うことが可能になっている。しかし、選択チャンネル部において選択チャンネルの全てのパラメータを設定できるようにすると、やはり選択チャンネル部の面積が膨大になるため、近年においては、特許文献１に示されているように、選択チャンネル部と多目的ディスプレイとを併用してパラメータを設定するデジタルミキサが一般化している。このようなデジタルミキサにおいて、選択チャンネル部においては、調節する頻度が比較的高いパラメータの操作子および表示器等が設けられる。一方、選択チャンネル部にて調整できないパラメータを調整できるようにするため、特許文献１に開示されたデジタルミキサにおいては、多目的のディスプレイ（タッチパネル）が操作パネル上に設けられており、このディスプレイには様々な詳細設定ウィンドウのうち所望のものを選んで表示させることができる。この詳細設定ウィンドウを切り替えつつ操作することにより、全てのパラメータを設定／表示することができる。
【先行技術文献】
【特許文献】
【０００４】
【特許文献１】特開２００７−７４６２３号公報
【発明の概要】
【発明が解決しようとする課題】
【０００５】
ところで、特許文献１においては、詳細設定ウィンドウにてパラメータの設定／表示を行うチャンネルは選択チャンネルに限られていた。詳細設定ウィンドウは、そもそも選択チャンネル部の機能を補完するものであるため、選択チャンネルのパラメータを設定／表示を行うことは、一般的には合理的である。しかし、一部の用途においては、詳細設定ウィンドウを選択チャンネルから独立して操作できるようにしたほうが望ましい場合がある。例えば、歌手のコンサート等においては、その歌手のボーカルの入力チャンネルは極めて重要であるため、詳細設定ウィンドウを用い、時間をかけてパラメータを細かく調整することが一般的である。しかし、詳細設定ウィンドウに係るチャンネルが選択チャンネルに固定されていると、その調整を行っている間は選択チャンネルを切り替えることが禁止されることになるため、他のチャンネルについては、比較的簡易な音質調整などもできなくなり、作業効率が低下するという問題が生じることが判明した。
この発明は上述した事情に鑑みてなされたものであり、必要に応じて、詳細設定画面に係るチャンネルを選択チャンネルから独立させることにより、効率的なパラメータ調整を実現できるミキシングコンソールおよびプログラムを提供することを目的としている。
【課題を解決するための手段】
【０００６】
上記課題を解決するため本発明にあっては、下記構成を具備することを特徴とする。なお、括弧内は例示である。
請求項１記載のミキシングコンソールにあっては、複数の入力チャンネルの音声信号に対して各々複数の信号処理機能による信号処理を行うとともに、信号処理された音声信号をミキシングする信号処理部（８）に対して、前記信号処理機能を行うためのパラメータを指示するミキシングコンソールにおいて、各々が前記複数の信号処理機能のうち一の機能に対応し当該信号処理機能に係るパラメータを設定および表示するための複数の詳細設定画面（２００，３００）のうち何れかを必要に応じて表示する画像表示手段（２）と、各々が前記入力チャンネルの何れかに割り当てられ、割り当てられた入力チャンネルの信号レベルを調整するフェーダ（９２）と当該入力チャンネルを選択チャンネルとして選択するための選択チャンネル指定操作子（９４）とを各々が有する複数のチャンネルストリップ（３１−１〜３１−８，３２−１〜３２−８，３３−１〜３３−８）と、該選択チャンネルにおける前記複数の信号処理機能の各々に対して、前記詳細設定画面（２００，３００）が表示されているか否かにかかわらず、一部のパラメータを表示するとともに、これら表示されたパラメータを設定可能に構成された選択チャンネル部（３４，４２）と、表示対象の入力チャンネルである画面設定チャンネルと、表示すべき何れかの信号処理機能である詳細設定機能とを特定して前記画面設定チャンネルにおける、前記詳細設定機能に係る詳細設定画面（２００，３００）を前記画像表示手段（２）に表示させる表示制御手段（ＳＰ６）と、ユーザ操作に基づいて、前記選択チャンネルと前記画面設定チャンネルとの連動オン状態または連動オフ状態を指定する連動状態指定手段（２６０，３７０，ＳＰ４０）と、前記連動状態指定手段（２６０，３７０，ＳＰ４０）によって前記連動オン状態が指定されると、前記画面設定チャンネルを前記選択チャンネル指定操作子（９４）によって指定された選択チャンネルに一致させる一方、連動オフ状態が指定されると、前記選択チャンネル指定操作子（９４）の操作に関わらず従前の画面設定チャンネルを維持する詳細設定画面制御手段（ＳＰ３４，ＳＰ３６）と、指定された前記選択チャンネルに合わせて前記選択チャンネル部（３４，４２）の状態を変更する選択チャンネル部制御手段（ＳＰ３０）と、ユーザによる前記選択チャンネル部（３４，４２）の操作に応じて選択チャンネルに係るパラメータを変更するパラメータ変更手段とを有することを特徴とする。
また、請求項２記載のプログラムにあっては、複数の入力チャンネルの音声信号に対して各々複数の信号処理機能による信号処理を行うとともに、信号処理された音声信号をミキシングする信号処理部（８）に対して、前記信号処理機能を行うためのパラメータを指示するミキシングコンソールに適用されるプログラムであって、前記ミキシングコンソールは、各々が前記複数の信号処理機能のうち一の機能に対応し当該信号処理機能に係るパラメータを設定および表示するための複数の詳細設定画面（２００，３００）のうち何れかを必要に応じて表示する画像表示手段（２）と、各々が前記入力チャンネルの何れかに割り当てられ、割り当てられた入力チャンネルの信号レベルを調整するフェーダ（９２）と当該入力チャンネルを選択チャンネルとして選択するための選択チャンネル指定操作子（９４）とを各々が有する複数のチャンネルストリップ（３１−１〜３１−８，３２−１〜３２−８，３３−１〜３３−８）と、該選択チャンネルにおける前記複数の信号処理機能の各々に対して、前記詳細設定画面（２００，３００）が表示されているか否かにかかわらず、一部のパラメータを表示するとともに、これら表示されたパラメータを設定可能に構成された選択チャンネル部（３４，４２）と、処理装置（１８）とを有するものであり、表示対象の入力チャンネルである画面設定チャンネルと、表示すべき何れかの信号処理機能である詳細設定機能とを特定して前記画面設定チャンネルにおける、前記詳細設定機能に係る詳細設定画面（２００，３００）を前記画像表示手段（２）に表示させる表示制御過程（ＳＰ６）と、ユーザ操作に基づいて、前記選択チャンネルと前記画面設定チャンネルとの連動オン状態または連動オフ状態を指定する連動状態指定過程（２６０，３７０，ＳＰ４０）と、前記連動状態指定過程（２６０，３７０，ＳＰ４０）によって前記連動オン状態が指定されると、前記画面設定チャンネルを前記選択チャンネル指定操作子（９４）によって指定された選択チャンネルに一致させる一方、連動オフ状態が指定されると、前記選択チャンネル指定操作子（９４）の操作に関わらず従前の画面設定チャンネルを維持する詳細設定画面制御過程（ＳＰ３４，ＳＰ３６）と、指定された前記選択チャンネルに合わせて前記選択チャンネル部（３４，４２）の状態を変更する選択チャンネル部制御過程（ＳＰ３０）と、ユーザによる前記選択チャンネル部（３４，４２）の操作に応じて選択チャンネルに係るパラメータを変更するパラメータ変更過程とを前記処理装置（ＣＰＵ１８）に実行させることを特徴とする。
【発明の効果】
【０００７】
本発明によれば、ユーザ操作に基づいて、選択チャンネルと画面設定チャンネルとの連動オン／オフ状態を指定できるから、必要に応じて、詳細設定画面に係るチャンネルを選択チャンネルから独立させることにより、効率的なパラメータ調整を実現できる。
【図面の簡単な説明】
【０００８】
【図１】本発明の一実施例のデジタルミキサのブロック図である。
【図２】デジタルミキサのアルゴリズムのブロック図である。
【図３】入力チャンネル調整部５５におけるアルゴリズム構成の詳細ブロック図である。
【図４】デジタルミキサの操作パネル３０の平面図である。
【図５】背景画像１００の表示例を示す図である。
【図６】第１ダイナミックス詳細設定ウィンドウ２００の表示例を示す図である。
【図７】イコライザ詳細設定ウィンドウ３００の表示例を示す図である。
【図８】詳細設定ウィンドウ表示イベント処理ルーチンのフローチャートである。
【図９】ＳＥＬボタン押下イベントルーチンのフローチャートである。
【図１０】連動オン／オフ・イベントルーチンのフローチャートである。
【発明を実施するための形態】
【０００９】
1．実施例のハードウエア構成
次に、本発明の一実施例のデジタルミキサの構成を図１を参照し説明する。
図１において２はタッチパネルであり、バスライン１２を介して供給された表示情報に基づいてユーザに各種画面を表示するディスプレイと、このディスプレイの表面に貼付され、ユーザの指で押下されると、その旨および押下位置を検出するタッチスクリーンとから構成されている。タッチパネル２内のディスプレイは、例えば「１０２４×７６８」程度の解像度を有するフラットパネルディスプレイによって構成されている。４は表示器・操作子群であり、後述する操作パネル上の各部に配置される各種のノブ、スイッチおよびＬＥＤキーから構成されている。ＬＥＤキーに内蔵されたＬＥＤの点滅状態はバスライン１２を介して設定される。また、ノブ、スイッチおよびＬＥＤキー等の操作状態はバスライン１２を介して出力される。
【００１０】
６は電動フェーダ群であり、操作者の操作に基づいて各入出力チャンネルの信号レベルを調節する。さらに、電動フェーダ群６は、バスライン１２を介して操作コマンドが供給されると、その操作位置が自動設定されるように構成されている。１０は波形Ｉ／Ｏ部であり、アナログ音声信号またはデジタル音声信号を入出力する。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部１０においては、アナログ信号とデジタル信号間の変換、複数種類のデジタル信号相互間の変換等の処理が行われる。次に、８は信号処理部であり、一群のＤＳＰ（デジタル・シグナル・プロセッサ）によって構成されている。信号処理部８は、波形Ｉ／Ｏ部１０を介して供給されたデジタル音声信号に対してミキシング処理や効果処理を施し、その結果を波形Ｉ／Ｏ部１０に出力する。
【００１１】
１６はその他Ｉ／Ｏ部であり、レコーダ等、各種の外部機器との間でタイムコードその他の情報を入出力する。１８はＣＰＵであり、後述する制御プログラムに基づいて、バスライン１２を介して各部を制御する。２０はフラッシュメモリであり、その内部のプログラム領域には上記制御プログラムが記憶されている。２２はＲＡＭであり、ＣＰＵ１８のワークメモリとして使用される。本実施例のデジタルミキサにおいては、現在の動作を制御する各種パラメータ（カレントデータ）がＲＡＭ２２の所定領域（カレント領域）に記憶されている。すなわち、ユーザが表示器・操作子群４、電動フェーダ群６を操作することによりカレントデータの内容が更新され、また、該カレントデータに基づいて信号処理部１０におけるミキシング処理や効果処理、タッチパネル２における表示状態、表示器・操作子群４内のＬＥＤの点滅状態、電動フェーダ群６の各フェーダの位置などが制御される。
【００１２】
2．ミキシングアルゴリズム構成
次に、信号処理部８等において実現されるアルゴリズムの内容を図２を参照し説明する。なお、当該アルゴリズムは信号処理部８に設定されるプログラムによって実現されるものであり、該プログラムは、ＣＰＵ１８の制御の下、フラッシュメモリ２０等から信号処理部８にロードされる。図２において５１はアナログ入力部であり、マイクレベルまたはラインレベルのアナログ音声信号を受信すると、これをデジタル音声信号に変換し、信号処理部８に供給する。５２はデジタル入力部であり、デジタル音声信号を受信すると、これを信号処理部８内部のフォーマットに変換する。６６はアナログ出力部であり、信号処理部８から供給されたデジタル音声信号をアナログ音声信号に変換し外部に出力する。６８はデジタル出力部であり、信号処理部８から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１３】
以上述べた構成は、信号処理部８とは別体のハードウエアである波形Ｉ／Ｏ部１０およびここに介挿される各種カードにより実現されているが、上記以外の構成は信号処理部８において動作するプログラムによって実現されている。５５は入力チャンネル調整部であり、操作パネル３０上の電動フェーダおよびノブ等の操作子の操作に基づいて、「４８」チャンネルの入力チャンネルに対して音量・音質等の調整を行う。５４は入力パッチ部であり、入力部５１，５２等の複数の入力ポートから供給されたデジタル音声信号を、入力チャンネル調整部５５内の任意の入力チャンネルに割り当てる。
【００１４】
５８はＭＩＸバス群であり、「１６」系統のＭＩＸバスから構成されている。各ＭＩＸバスにおいては、各入力チャンネルのデジタル音声信号のうち当該ＭＩＸバスに供給されたものがミキシングされる。各入力チャンネルにおいては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。６２はＭＩＸ出力チャンネル部であり、上記各ＭＩＸバスにおけるミキシング結果のレベル調節および音質調節を行なう。６４は出力パッチ部であり、ＭＩＸ出力チャンネル部６２の出力信号を、各出力部６６，６８の任意のポートに割り当てる。５６は汎用イコライザ群であり、インサーションエフェクト、グラフィックイコライザ等の汎用イコライザから構成され、これら汎用イコライザは、入力チャンネル調整部５５またはＭＩＸ出力チャンネル部６２のうち任意のチャンネルに介挿することができる。
【００１５】
次に、入力チャンネル調整部５５におけるアルゴリズム構成の詳細を図３を参照し説明する。図３において５５−ｉは第ｉ入力チャンネル調整部であり、第ｉ入力チャンネル（１≦ｉ≦４８）における音質・音量調整を行う。その内部において７１はアッテネータ部であり、入力された音声信号を減衰させる。７２はイコライザ部であり、「４」バンドのパラメトリックイコライザ等により、音声信号の周波数特性を調節する。また、アッテネータ部７１とイコライザ部７２との間には、汎用イコライザ群５６に属する各種イコライザを必要に応じて介挿することができる。７３，７４は第１および第２ダイナミックス調整部であり、該音声信号に対して、コンプレッサ処理、ゲート処理等を行う。７５は音量調整部であり、第ｉ入力チャンネルの音声信号の信号レベル（ゲイン）を調節する。７６はオンオフ切換部であり、第ｉ入力チャンネル全体のオン／オフ状態を切り換える。
【００１６】
８０−１〜８０−１６は信号切換部であり、第ｉ入力チャンネルから「１６」系統のＭＩＸバスに各々出力され得る音声信号をフェードモードに応じて切り換える。すなわち、フェードモードが「プリフェード」に設定されると、第２ダイナミックス調整部７４の出力信号が選択され、「ポストフェード」に設定されるとオンオフ切換部７６の出力信号が選択される。８２−１〜８２−１６はセンドレベル調節部であり、各ＭＩＸバスに出力する信号のゲインすなわちセンドレベルを調節する。８４−１〜８４−１６はセンドオンオフ切換部であり、各ＭＩＸバスに対する音声信号供給のオン／オフ状態を設定する。なお、ＭＩＸ出力チャンネル部６２については図示を省略するが、ＭＩＸ出力チャンネル部６２においても、各チャンネル毎に、上述した構成要素７１〜７６と同様のものが設けられている。
【００１７】
3．操作パネルの構成
次に、本実施例のデジタルミキサの操作パネル３０の構成を図４を参照し説明する。３１，３２，３３はチャンネルストリップ群であり、各「８」のチャンネルストリップ３１−１〜３１−８，３２−１〜３２−８，３３−１〜３３−８から構成されている。これらのチャンネルストリップには、各々一のチャンネル（入力チャンネルまたはＭＩＸ出力チャンネル）が割り当てられ、割り当てられたチャンネルの信号レベル（音量調整部７５のゲイン）を調節する電動フェーダ９２と、当該チャンネルを選択チャンネルとして選択するＳＥＬボタン９４とが設けられている。ここで、選択チャンネルとして指定できるチャンネルは一のチャンネルのみである。従って、何れかのチャンネルストリップにおけるＳＥＬボタン９４がユーザによって押下されると、当該チャンネルストリップに割り当てられたチャンネルが選択チャンネルとして指定され、押下されたＳＥＬボタン９４は点灯状態になり、他のＳＥＬボタン９４は消灯される。
【００１８】
さらに、チャンネルストリップ３３−１〜３３−８にあっては、無限回転型のノブ９６が設けられている。これらノブ９６には、ユーザの指定に応じて、センドレベルの調整等、各種機能が割り当てられる。３５はレイヤ選択部であり、チャンネルストリップ群３１，３２，３３に割り当てるレイヤを選択する。ここで、「レイヤ」について説明しておく。上述したように、入力チャンネル調整部５５におけるチャンネル数は「４８」であり、ＭＩＸ出力チャンネル部６２におけるチャンネル数は「１６」であるが、これらのチャンネルはチャンネル番号順に「８」チャンネル毎にグループ化されており、このグループを「レイヤ」と呼ぶ。チャンネルストリップ群３１，３２，３３には、これらのレイヤのうち任意のものを割り当てることができる。３４は選択チャンネル操作部であり、選択チャンネルにおけるアッテネータ部７１、イコライザ部７２、第１および第２ダイナミックス調整部７３，７４における主要なパラメータを調節する操作子が設けられている。すなわち、これらの操作子を操作すると、選択チャンネルにおける対応するパラメータが調整される。３６はその他操作部であり、その他の各種操作を行う操作子等から構成されている。
【００１９】
次に、タッチパネル２の内部において、４４はパラメータ領域であり、主としてチャンネルストリップ群３３に割り当てられたチャンネルのパラメータを表示／設定するための各種画像が表示される。図示の例においては、パラメータ領域４４には、「８」のチャンネル対応部１００−１〜１００−８から構成される背景画像１００が表示されている。ここで、チャンネル対応部１００−１〜１００−８は、各チャンネルストリップ３３−１〜３３−８に前後方向に揃う位置（左右方向において同一位置）に表示され、各々これらチャンネルストリップ３３−１〜３３−８に割り当てられたチャンネルの各種パラメータを表示／設定するためのものである。
【００２０】
次に、４２は選択チャンネル領域であり、上記選択チャンネル操作部３４と協働して選択チャンネルにおけるアッテネータ部７１、イコライザ部７２、第１および第２ダイナミックス調整部７３，７４における主要なパラメータを表示するとともに、これらパラメータの設定を行うためのものである。この選択チャンネル領域４２は、タッチパネル２内において固定的に割り当てられており、選択チャンネルに係るパラメータを恒常的に表示する。ここで、選択チャンネル操作部３４と選択チャンネル領域４２とを合わせて「選択チャンネル部３４，４２」と称する。選択チャンネル部３４，４２に割り当てられるチャンネルは何れも一の選択チャンネルであるから、両者には常に共通のチャンネルが割り当てられることになる。
【００２１】
選択チャンネル部３４，４２においては、上記構成要素７１，７２，７３，７４の全てについて、何らかのパラメータを調節するノブ等の操作子または画面上の操作部が設けられているが、これら構成要素７１，７２，７３，７４の何れについても、当該構成要素の主要なパラメータを調整する操作子または画面上の操作部しか設けられておらず、全てのパラメータの調整を行えるわけではない。一方、選択チャンネル操作部３４にあっては、選択チャンネルに係るパラメータを調整するためのノブ等の物理的な操作子が常に使用可能になっており、選択チャンネル領域４２は、パラメータ領域４４の表示内容にかかわらず、上述した主要なパラメータを調整するための表示部が常に表示される。４６はその他領域であり、その他各種の操作を行うためのものである。
【００２２】
4．表示画面の例
4．1．背景画像１００
次に、パラメータ領域４４おける各種表示画面の例を説明する。
まず、図５は、上述した背景画像１００の表示例を示すものであり、該背景画像１００は、上述したように「８」のチャンネル対応部１００−１〜１００−８から構成されている。以下、チャンネル対応部１００−１の内容について説明するが、他のチャンネル対応部１００−２〜１００−８も同様に構成されている。チャンネル対応部１００−１の内部において１１０は表題部であり、該チャンネル対応部１００−１に係る入出力チャンネルのチャンネル番号および短縮チャンネル名（ショートネーム）を表示する。
【００２３】
ここで、チャンネル対応部１００−１〜１００−８に係るチャンネルの中に選択チャンネルが含まれている場合は、当該チャンネルについては表題部１１０の表示色が他のチャンネルとは異なるように表示される（図５においてはチャンネル対応部１００−４においてハッチングで表記する）。これを「表題部カーソル」という。１１２は入力ゲイン表示部であり、当該チャンネルに対応する入力ポートのゲイン等の設定状態、すなわち図２における入力パッチ部５４を介して当該チャンネルに接続されているアナログ入力部５１またはデジタル入力部５２内の入力ポートに設定されているゲイン等の設定状態の概要を表示する。特に、入力ゲイン表示部１１２にはノブ画像が表示され、これによって該入力ポートにおけるゲインが表示される。１１４はインサーションエフェクト表示部であり、例えば当該チャンネルのアッテネータ部７１とイコライザ部７２との間にインサーションエフェクト、グラフィックイコライザ等の汎用イコライザが挿入されているか否か等を表示する。
【００２４】
１１６はイコライザ表示部であり、当該チャンネルのイコライザ部７２によって設定された特性の概要を、その内部に設けられた小型のグラフによって表示する。１１８は第１ダイナミックス表示部、１２０は第２ダイナミックス表示部であり、各々ダイナミックス調整部７３，７４において設定された特性の概要を表示する。１２２はセンドレベル表示部であり、センドレベル調節部８２−１〜８２−１６の数に等しい「１６」個のノブ画像によって構成され、これらのセンドレベルを表示する。また、これらノブ画像の一部は、ダークアウト（図上では破線で示す）される場合がある。これは、対応するセンドオンオフ切換部８４−１〜８４−１６がオフ状態に設定されていることを意味する。１２６はチャンネル名表示部であり、当該チャンネルのチャンネル名（ロングネーム）を表示する。
【００２５】
上述したように、入力ゲイン表示部１１２、センドレベル表示部１２２、ステレオ出力表示部１２４にはノブ画像が表示されているが、このうち任意のノブ画像をユーザが指で押下すると、その押下されたノブ画像と、各チャンネル対応部１００−１〜１００−８内における同一位置のノブ画像とが強調表示され、これらノブ画像にパラメータが、チャンネルストリップ３２−１〜３２−８内の「８」個のノブ９６によって調整可能になる。これにより、ノブ９６に対して様々な機能を割り当てることが可能になっているのである。
【００２６】
また、上述した各表示部１１２〜１２２に対して、各々対応する詳細設定ウィンドウ（ポップアップウィンドウ）を表示させることができる。これら詳細設定ウィンドウにおいては、各表示部１１２〜１２２において表示されていない詳細なパラメータが表示されるとともに、これらパラメータを編集することが可能になっている。詳細設定ウィンドウを表示させる方法は、各表示部１１２〜１２２のうちノブ画像が含まれているものと含まれていないものとで異なる。すなわち、ノブ画像が含まれている表示部が最初に押下されると、上述したように押下位置のノブ画像が強調表示される。この強調表示されたノブ画像のうち何れかをもう一度押下すると、背景画像１００の上に詳細設定ウィンドウが表示されるのである。一方、ノブ画像が含まれていない表示部においては、単にその表示部を押下すると、対応する詳細設定ウィンドウが直ちに表示されることになる。
【００２７】
4．2．ダイナミックス詳細設定ウィンドウ２００
以下、上述した詳細設定ウィンドウのうちの数例を説明する。
図５のチャンネル対応部１００−１において、何れかのチャンネル対応部１００−１〜１００−８の第１ダイナミックス表示部１１８が押下されると、図６に示す第１ダイナミックス詳細設定ウィンドウ２００がタッチパネル２のパラメータ領域４４に表示される。ここで、ウィンドウ２００はある一のチャンネルにおける第１ダイナミックス調整部７３の調整可能な全てのパラメータを表示するものであり、このパラメータ表示に係る一のチャンネルを「画面設定チャンネル」という。画面設定チャンネルは、押下された第１ダイナミックス表示部１１８に係るチャンネル、または選択チャンネルのうち何れかであり、何れが適用されるかは「連動モード」という動作モードに応じて決定される（詳細は後述する）。ウィンドウ２００が表示される際には、背景画像１００はダークアウト（図上では破線で示す）される。ウィンドウ２００はタイトルバー２１０と、各種画像が表示されるフィールド部２２０とから成る。フィールド部２２０の内部においては、以下に列挙するパラメータを設定／表示する各種の画像が表示されている。
・ダイナミックスの種別（Gate, Ducking, Expander）の選択
・第１ダイナミックス調整部７３の入出力レベル特性（グラフ表示）
・第１ダイナミックス特性のオン／オフ状態の設定（オフ状態になると、入出力特性がゲイン一定のリニアな状態になる）
・＊「閾値」、「レート」、「アタック」、「ホールド」、「ディケイ」、「レンジ」などのパラメータ
なお、「＊」を付したパラメータは、チャンネルストリップ群３２内のノブ９６に対応付けられており、これらのノブによって調整することができる。
【００２８】
タイトルバー２１０の内部において２６０はＳＥＬ＿ＬＩＮＫボタンであり、押下される毎に、連動モードのオン／オフ状態をトグルで切り替える。ここで、「連動モード」とは、詳細設定ウィンドウ（この場合はウィンドウ２００）における調整対象である画面設定チャンネルと、選択チャンネル部３４，４２における調整対象である選択チャンネルとを連動させるか否かを指定する動作モードである。なお、この連動モードは、詳細設定ウィンドウが閉じられた後においてもＲＡＭ２２に保存され、次回に何れかの詳細設定ウィンドウが表示された際には、保存された連動モードが当該詳細設定ウィンドウの連動モードの初期値として適用される。上記ＳＥＬ＿ＬＩＮＫボタン２６０内の文字列は、連動モードがオン状態である場合には「SEL LINK:ON」になり、連動モードがオフ状態である場合には「SEL LINK:OFF」になる。
【００２９】
また、フィールド部２２０の内部において２２１はチャンネル表示／選択部であり、画面設定チャンネルのチャンネル番号等を表示するとともに、ユーザによってその左右端が押下されると、画面設定チャンネルのチャンネル番号を減少方向または増加方向に変更する。但し、連動モードがオン状態であるとき、チャンネル表示／選択部２２１はダークアウトされ、チャンネル番号等の表示は続行されるが、チャンネル番号の変更は禁止される（チャンネル番号を変更する操作が無効化される）。これは、連動モードがオン状態である場合には、画面設定チャンネルは選択チャンネルに一致するように自動的に設定されるためである。以上のように、この第１ダイナミックス詳細設定ウィンドウ２００には、画面設定チャンネルの第１ダイナミックス調整部７３において調整可能な全てのパラメータが表示されるとともに、調整可能な全てのパラメータに対応して、画面上のボタンあるいはノブ画像２２８〜２４２が表示されるため、ユーザは、第１ダイナミックス調整部７３において調整可能な全てのパラメータをウィンドウ２００において調整することができる。
【００３０】
4．3．イコライザ詳細設定ウィンドウ３００
図５の背景画像１００において、何れかのチャンネル対応部１００−１〜１００−８のイコライザ表示部１１６が押下されると、図７に示すイコライザ詳細設定ウィンドウ３００がタッチパネル２のパラメータ領域４４に表示される。ウィンドウ３００は、上述した「画面設定チャンネル」におけるアッテネータ部７１およびイコライザ部７２の調整可能な全てのパラメータを表示するものである。そして、上述したウィンドウ２００と同様に、連動モードに応じて、この画面設定チャンネルとして、押下されたイコライザ表示部１１６に係るチャンネル、または選択チャンネルのうち何れかが適用される。ウィンドウ３００はタイトルバー３１０と、各種画像が表示されるフィールド部３２０とから成る。フィールド部３２０の内部においては、以下に列挙するパラメータを設定／表示する各種の画像が表示されている。
【００３１】
・パラメトリックイコライザ用の帯域分割フィルタのタイプの選択（バンド間の干渉が多いタイプIまたは少ないタイプII）
・イコライザ部７２の周波数特性（グラフ表示）
・イコライザ部７２の周波数特性を強制的にフラットにする指示
・イコライザ部７２のオン／オフ状態（オフ状態になると、入出力周波数特性はフラットな状態になる）
・イコライザ部７２に入出力される信号レベルの表示
・アッテネータ部７１に設定されている減衰率の表示
・ハイパスフィルタのオン／オフ状態の設定・表示
・＊イコライザ部７２に含まれるハイパスフィルタのカットオフ周波数の表示
・＊パラメトリックイコライザ用パラメータ（低音部（LOW）、中低音部（LOW-MID）、中高音部（HIGH-MID）および高音部（HIGH）の「４」バンド各々について、中心周波数、ゲインおよびＱ値（鋭さ））
【００３２】
なお、「＊」を付したパラメータは、チャンネルストリップ群３２内のノブ９６に対応付けられており、これらのノブによって調整することができる。タイトルバー３１０の内部において３７０はＳＥＬ＿ＬＩＮＫボタンであり、上述した第１ダイナミックス詳細設定ウィンドウ２００内のＳＥＬ＿ＬＩＮＫボタン２６０と同様の機能を果たす。すなわち、ＳＥＬ＿ＬＩＮＫボタン３７０は押下される毎に、連動モードのオン／オフ状態をトグルで切り替えるとともに、該ボタン３７０内の文字列は、連動モードがオン状態である場合には「SEL LINK:ON」になり、連動モードがオフ状態である場合には「SEL LINK:OFF」になる。また、フィールド部３２０の内部において３２１はチャンネル表示／選択部であり、上述したウィンドウ２００内のチャンネル表示／選択部２２１と同様の機能を果たす。すなわち、チャンネル表示／選択部２２１は画面設定チャンネルのチャンネル番号等を表示するとともに、ユーザによってその左右端が押下されると、画面設定チャンネルのチャンネル番号を減少方向または増加方向に変更する。但し、連動モードがオン状態であるとき、チャンネル表示／選択部３２１はダークアウトされ、チャンネル番号等の表示は続行されるが、チャンネル番号の変更は禁止される。
【００３３】
ここで、イコライザ部７２に対して設定されるパラメータについて、詳細設定ウィンドウ３００と選択チャンネル部３４，４２との異同を説明しておく。選択チャンネル部３４，４２においては、上記ボタン３３１およびノブ画像３３２〜３６０等に相当するボタン、ノブまたは画面上の操作部が設けられているが、イコライザ部７２に関しては、その他のパラメータを調整する操作子等（例えばフィルタ・タイプ選択ボタン３２２，３２４に相当する操作子）は設けられていない。すなわち、これらのパラメータ等は、調整する頻度が低いため、ウィンドウ３００においてのみ調整可能にしている。以上のように、イコライザ詳細設定ウィンドウ３００には、画面設定チャンネルのイコライザ部７２において調整可能な全てのパラメータが表示されるとともに、調整可能な全てのパラメータに対応して、画面上のボタンあるいはノブ画像３３２〜３６０が表示されるため、ユーザは、イコライザ部７２において調整可能な全てのパラメータをウィンドウ３００において調整することができる。
【００３４】
4．4．他の詳細設定ウィンドウ
上記詳細設定ウィンドウ２００，３００以外の詳細設定ウィンドウについては図示を省略するが、何れの詳細設定ウィンドウにおいても、画面設定チャンネルの各種パラメータを表示／設定する画像が含まれるとともに、上記ＳＥＬ＿ＬＩＮＫボタン２６０，３７０と同様のＳＥＬ＿ＬＩＮＫボタンが含まれており、連動モードのオン／オフ状態をトグルで切り替えることができるようになっている。また、これらの詳細設定ウィンドウにおいては、チャンネル表示／選択部２２１，３２１と同様のチャンネル表示／選択部も含まれており、連動モードがオン状態であるとき、当該チャンネル表示／選択部はダークアウトされ、チャンネル番号等の表示は続行されるが、チャンネル番号の変更は禁止される。また、これらの詳細設定ウィンドウには、対応する信号処理機能（アッテネータ部７１、第２ダイナミックス調整部７４または各種汎用イコライザのうち何れか）において調整可能な全てのパラメータが表示されるとともに、調整可能な全てのパラメータに対応して、画面上のボタンあるいはノブ画像が表示されるため、ユーザは、対応する信号処理機能において調整可能な全てのパラメータを、対応する詳細設定ウィンドウにおいて調整することができる。
【００３５】
5．実施例の動作
5．1．詳細設定ウィンドウ表示イベント（図８）
上述したように、背景画像１００の何れかのチャンネル対応部１００−１〜１００−８において、何れかの表示部１１２〜１２２を操作すると、当該表示部に対応する詳細設定ウィンドウが指定される。その指定が為されると、図８に示す詳細設定ウィンドウ表示イベント処理ルーチンが起動される。図８において処理がステップＳＰ２に進むと、既に他の詳細設定ウィンドウが表示されているか否かが判定される。ここで「ＹＥＳ」と判定されると処理はステップＳＰ４に進み、現在表示されている詳細設定ウィンドウが消去される。これは、本実施例にあっては、表示される詳細設定ウィンドウの数は常に一つにしておくためである。一方、他の詳細設定ウィンドウが表示されていなければステップＳＰ４はスキップされる。次に、処理がステップＳＰ６に進むと、表示部１１２〜１２２のうち押下された表示部に対応する詳細設定ウィンドウがパラメータ領域４４に表示され、背景画像１００はダークアウトされる。
【００３６】
ところで、今回操作された表示部１１２〜１２２は、チャンネル対応部１００−ｉ（１≦ｉ≦８）の何れかに属するものであるから、表示部１１２〜１２２の操作によって、このチャンネル対応部１００−ｉに割り当てられたチャンネルが指定されたことになる。次に処理がステップＳＰ８に進むと、この指定されたチャンネルが画面設定チャンネルとして選択され、当該チャンネルにおける各種のパラメータの値が詳細設定ウィンドウ内に表示される。次に、処理がステップＳＰ１０に進むと、ＲＡＭ２２に保存されている連動モードがオン状態であるか否かが判定される。ここで「ＮＯ」（オフ状態）と判定されると、処理はステップＳＰ１６に進み、詳細設定ウィンドウの連動モードがこの保存されている連動モード（オフ状態）に一致するように設定される。すなわち、当該詳細設定ウィンドウ内におけるＳＥＬ＿ＬＩＮＫボタン（２６０，３７０等）内の文字列は「SEL LINK:OFF」に設定され、チャンネル表示／選択部（２２１，３２１等）はダークアウトされ、当該チャンネル表示／選択部における画面設定チャンネルの変更は禁止される。以上により、本ルーチンの処理が終了する。
【００３７】
一方、ステップＳＰ１０において「ＹＥＳ」（オン状態）と判定されると、処理はステップＳＰ１２に進み、選択チャンネルに一致するように画面設定チャンネルが変更される。これにより、変更された画面設定チャンネルのパラメータ値を表示するように、詳細設定ウィンドウ内の表示状態が更新される。次に処理がステップＳＰ１６に進むと、詳細設定ウィンドウの連動モードがこの保存されている連動モード（オン状態）に一致するように設定される。すなわち、当該詳細設定ウィンドウ内におけるＳＥＬ＿ＬＩＮＫボタン（２６０，３７０等）内の文字列は「SEL LINK:ON」に設定され、チャンネル表示／選択部（２２１，３２１等）のダークアウトが解除されることにより、当該チャンネル表示／選択部における画面設定チャンネルの変更が許可される。以上により、本ルーチンの処理が終了する。
【００３８】
5．2．選択チャンネル指定イベント（図９）
また、何れかのＳＥＬボタン９４が押下される等、選択チャンネルを変更する操作が為されると、図９に示すＳＥＬボタン押下イベントルーチンが起動される。図において処理がステップＳＰ３０に進むと、指示されたチャンネル、すなわち押下されたＳＥＬボタン９４の属するチャンネルストリップに割り当てられたチャンネルが新たな選択チャンネルに設定される。これにより、新たな選択チャンネルに係るＳＥＬボタン９４を点灯させ、他のＳＥＬボタン９４を消灯するように、各チャンネルストリップ内のＳＥＬボタン９４の点灯／消灯状態が変更される。また、選択チャンネル部３４，４２においても、この新たな選択チャンネルに係るパラメータ値に基づいて、各種操作子の設定状態および表示内容が変更される。
【００３９】
次に、処理がステップＳＰ３２に進むと、パラメータ領域４４において何れかの詳細設定ウィンドウが表示中であるか否かが判定される。ここで「ＮＯ」と判定されると本ルーチンの処理は直ちに終了する。一方、「ＹＥＳ」と判定されると処理はステップＳＰ３４に進み、連動モードがオン状態に設定されているか否かが判定される。ここで「ＮＯ」と判定された場合においても、本ルーチンの処理は直ちに終了する。一方、連動モードがオン状態に設定されている場合は、ステップＳＰ３４において「ＹＥＳ」と判定され、処理はステップＳＰ３６に進む。ここでは、今回指示された選択チャンネルと一致するように画面設定チャンネルが変更される。すなわち、チャンネル表示／選択部（２２１，３２１等）には今回指示された選択チャンネルのチャンネル番号等が表示され、表示中の詳細設定ウィンドウの表示内容が変更後の画面設定チャンネルに係るパラメータ値の内容に応じて変更される。
【００４０】
5．3．ＳＥＬ＿ＬＩＮＫボタン押下イベント（図１０）
また、何れかの詳細設定ウィンドウにおいてＳＥＬ＿ＬＩＮＫボタン（２６０，３７０等）が押下されると、図１０に示す連動オン／オフ・イベントルーチンが起動される。図において処理がステップＳＰ４０に進むと、連動モードが反転される。連動モードの反転とは具体的にはＲＡＭ２２に保存されている連動モードを書き替えることであり、現在値がオンであれば、それがオフへ書き替えられる。すなわち、この場合は、今回のボタン操作が連動モードとしてオフ状態を指定する操作であると判断され連動モードがオフ状態に設定されることになる。一方、連動モードの現在値がオフであれば、それがオンへ書き替えられる。すなわち、この場合は、今回のボタン操作が連動モードとしてオン状態を指定する操作であると判断され連動モードがオン状態に設定されることになる。
さらに、ステップＳＰ４０においては、反転後の連動モードに応じて、詳細設定ウィンドウ内の表示状態が変更される。すなわち、反転後の連動モードがオン状態である場合には、当該ＳＥＬ＿ＬＩＮＫボタン内の表示が「SEL LINK:ON」になるとともに、チャンネル表示／選択部（２２１，３２１等）がダークアウトされ、当該チャンネル表示／選択部における画面設定チャンネルの変更は禁止される。一方、反転後の連動モードがオフ状態である場合には、当該ＳＥＬ＿ＬＩＮＫボタン内の表示が「SEL LINK:OFF」になるとともに、チャンネル表示／選択部のダークアウト状態が解除され、当該チャンネル表示／選択部における画面設定チャンネルの変更が許可される。
【００４１】
次に、処理がステップＳＰ４２に進むと、反転後の連動モードがオン状態であるか否かが判定される。ここで「ＮＯ」と判定されると本ルーチンの処理は直ちに終了する。一方、ステップＳＰ４２において「ＹＥＳ」と判定されると処理は処理はステップＳＰ４６に進む。ここでは、選択チャンネルに一致するように画面設定チャンネルが変更される。これにより、変更された画面設定チャンネルのパラメータ値を表示するように、詳細設定ウィンドウ内の表示状態が更新される。以上のステップにより、本ルーチンの処理が終了する。
以上説明したように、本実施例によれば、任意のタイミングで詳細設定ウィンドウ内のＳＥＬ＿ＬＩＮＫボタン（２６０，３７０等）を押下することにより、そのタイミングで連動モードを反転させることができるから、実行しようとする調整作業に最適な連動モードを適宜選択することができ、パラメータの調整作業を効率的に実現することができる。
【００４２】
6．変形例
本発明は上述した実施例に限定されるものではなく、例えば以下のように種々の変形が可能である。
(1)上記実施例においては、ＣＰＵ１８上で動作するプログラムによって各種イベント処理等を行ったが、このプログラムのみをＣＤ−ＲＯＭ、メモリカード等の記録媒体に格納して頒布し、あるいは伝送路を通じて頒布することもできる。
【００４３】
(2)上記実施例においては、選択チャンネル部３４，４２は選択チャンネル操作部３４内にノブ等の物理的操作子を含むものであったが、選択チャンネル部には必ずしも物理的操作子を設けなくてもよい。すなわち、選択チャンネル部をタッチパネル２内の選択チャンネル領域４２のみによって構成してもよい。
【００４４】
(3)上記実施例において例示した詳細設定ウィンドウ２００，３００にあっては、何れも「１」チャンネルのパラメータ値を設定／表示するものであったが、詳細設定ウィンドウは、レイヤ毎に複数チャンネルのパラメータを同時に設定／表示するものであってもよい。この場合、連動モードがオフ状態であったとしても、詳細設定ウィンドウ内に選択チャンネルが存在する場合は、選択チャンネルであることを示すカーソル（例えば、図５のチャンネル対応部１００−４の表題部１１０について説明した「表題部カーソル」と同様のカーソル）を当該詳細設定ウィンドウ内に表示し、そのレイヤ内で選択チャンネルが移動した場合には、そのカーソルを当該選択チャンネルに係る部分に移動させるとよい。また、この場合において連動モードがオン状態であって、表示中のレイヤ以外のレイヤに属するチャンネルが選択チャンネルとして選択された場合は、詳細設定ウィンドウに係るレイヤを、選択チャンネルの属するレイヤに切り替えるとよい。
【００４５】
(4)また、上記実施例においては、「詳細設定画面」の一例として、ポップアップウィンドウである詳細設定ウィンドウ２００，３００を適用した例を説明したが、詳細設定画面はポップアップウィンドウでなくてもよい。例えば、背景画像１００と詳細設定ウィンドウ（２００，３００等）とをタブによって切り替える画面であってもよい。換言すれば、「詳細設定画面」とは、「パラメータの詳細設定を行うために一時的に表示される画面」であればよい。
【００４６】
(5)上記実施例においては、何れかの詳細設定ウィンドウを表示するイベントが生じたとき、表示中の他の詳細設定ウィンドウがあれば当該他の詳細設定ウィンドウは消去されるため（図８ステップＳＰ２，ＳＰ４）、同時に複数の詳細設定ウィンドウが表示されることはなかった。しかし、このステップＳＰ２，４を省略することによって、同時に複数の詳細設定ウィンドウをパラメータ領域４４に表示できるようにしてもよい。この場合、一つの連動モードのオン／オフ状態を全ての詳細設定ウィンドウにおいて共有してもよく、あるいは各詳細設定ウィンドウ毎に連動モードのオン／オフ状態を独立して設定できるようにしてもよい。
【００４７】
(6)上記実施例においては、背景画像１００内の表示部１１２〜１２２に対する操作によって対応する詳細設定ウィンドウを表示したが、詳細設定ウィンドウの表示を指示する操作はこれに限られるものではない。例えば、タッチパネル２内の選択チャンネル領域４２、その他領域４６等の操作によって詳細設定ウィンドウを表示させてもよく、選択チャンネル操作部３４、その他操作部３６等の操作子を用いて詳細設定ウィンドウを表示させるようにしてもよい。
【００４８】
(7)上記実施例は、信号処理部８と、その他の部分を同一の筐体内に実装したデジタルミキサに本実施例を適用した例を説明したが、デジタルミキサを構成する方法として、信号処理部８および波形Ｉ／Ｏ部１０を別筐体に実装し、残りの部分を「ミキシングコンソール」としてコンソール用の筐体に実装する場合もある。かかる場合、本発明は「ミキシングコンソール」に対して適用することができる。
【符号の説明】
【００４９】
２：タッチパネル（画像表示手段）、４：表示器・操作子群、６：電動フェーダ群、８：信号処理部、１０：波形Ｉ／Ｏ部、１２：バスライン、１６：その他Ｉ／Ｏ部、１８：ＣＰＵ、２０：フラッシュメモリ、２２：ＲＡＭ、３０：操作パネル、３１，３２，３３：チャンネルストリップ群、３１−１〜３１−８，３２−１〜３２−８，３３−１〜３３−８：チャンネルストリップ、３４：選択チャンネル操作部（選択チャンネル部）、３５：レイヤ選択部、３６：その他操作部、４２：選択チャンネル領域（選択チャンネル部）、４４：パラメータ領域、４６：その他領域、５１：アナログ入力部、５２：デジタル入力部、５４：入力パッチ部、５５：入力チャンネル調整部（入力チャンネル調整手段）、５６：汎用イコライザ群、５８：ＭＩＸバス群（ミキシング手段）、６２：ＭＩＸ出力チャンネル部、６４：出力パッチ部、６６：アナログ出力部、６８：デジタル出力部、７１：アッテネータ部、７２：イコライザ部、７３：第１ダイナミックス調整部、７４：第２ダイナミックス調整部、７５：音量調整部、７６：オンオフ切換部、８０−１〜８０−１６：信号切換部、８２−１〜８２−１６：センドレベル調節部、８４−１〜８４−１６：センドオンオフ切換部、９２：電動フェーダ（フェーダ）、９４：ＳＥＬボタン（選択チャンネル指定操作子）、９６：ノブ、１００：背景画像、１００−１〜１００−８：チャンネル対応部、１１０：表題部、１１２：入力ゲイン表示部、１１４：インサーションエフェクト表示部、１１６：イコライザ表示部、１１８：第１ダイナミックス表示部、１２０：第２ダイナミックス表示部、１２２：センドレベル表示部、２００：第１ダイナミックス詳細設定ウィンドウ、２００，３００：詳細設定ウィンドウ（詳細設定画面）、２１０：タイトルバー、２２０：フィールド部、２２２，２２４，２２６：種別選択ボタン、２２８〜２４２：ノブ画像、２４６：オン／オフボタン、２５０：特性グラフ部、２６０，３７０：ＳＥＬ＿ＬＩＮＫボタン、３００：イコライザ詳細設定ウィンドウ、３１０：タイトルバー、３２０：フィールド部、３２２，３２４：フィルタ・タイプ選択ボタン、３２６：特性表示部、３２８：フラットボタン、３２９：オン／オフボタン、３３０：レベル表示部、３３１：ハイパスフィルタ・オン／オフボタン、３３２：アッテネータノブ画像、３３２〜３６０：ノブ画像、３３４：ハイパスフィルタ・ノブ画像、３３６〜３６０：ノブ画像。
【図１】
2011109554.tif 000003
【図２】
2011109554.tif 000004
【図３】
2011109554.tif 000005
【図４】
2011109554.tif 000006
【図５】
2011109554.tif 000007
【図６】
2011109554.tif 000008
【図７】
2011109554.tif 000009
【図８】
2011109554.tif 000010
【図９】
2011109554.tif 000011
【図１０】
2011109554.tif 000012